(57)【要約】【課題】  大雨や洪水等が発生した際に建物の出入口に止水板を配設して浸水の防止と共に出入口を閉鎖しても、上記止水板を乗り越えて建物内に容易に避難できるようにした浸水防止装置を提供する。【解決手段】  建物の出入口の両側壁に対向して設けている両側縦ガイド溝1a、1a間に止水板２を上方から嵌め込んでその止水板２の両側端部を両側縦ガイド溝1a、1aに貼着している止水材４、４に密着させると共に止水板２の下端を止水材６を介して床面に密着させて建物内に氾濫水が浸入するのを防止するように構成した浸水防止装置において、上記止水板２に複数段の足掛け用突条３を突設してあり、この足掛け用突条３をステップにして止水板２を乗り越えて建物内に避難できるように構成している。【選択図】  図１
2019039230.tif 000002
【特許請求の範囲】
【請求項１】
建物の出入口に設置するための止水板であって、建物外に向けている正面に上下方向に間隔を存して複数条の足掛け用突条を突設していることを特徴とする止水板。
【請求項２】
足掛け用突条は、止水板の両側端間に亘って水平状に設けられていることを特徴とする請求項１に記載の止水板。
【請求項３】
建物の出入口の両側壁面に互いに対向して設けられた縦ガイド溝と、建物外に向けている正面に上下方向に間隔を存して複数条の足掛け用突条を突設し、且つ、その両側端部を上記両側縦ガイド溝内に挿嵌されて建物の出入口を閉鎖する止水板と、上記両側縦ガイド溝と止水板の両側端部との隙間に設けられて止水板の両側端側から建物内に浸水するのを防止する両側止水材と、止水板の両側端部をこの両側止水材に押し付ける押圧部材と、止水板の下端面を上記出入口の床面に水密状態に密接させて床面上を通じて建物内に浸水するのを防止する下側止水材とを備えてなることを特徴とする建物内への浸水防止装置。
【請求項４】
両側止水材と下側止水材とは一定厚みを有する発泡ゴム板からなり、両側止水材はそれぞれ両側縦ガイド溝における止水板の背面両側端部を受止する溝壁面に貼着されてあり、下側止水材は止水板の下端面に貼着されていることを特徴とする請求項３に記載の建物内への浸水防止装置。
【請求項５】
止水板は両側縦ガイド溝の下部間に嵌め込まれた下側止水板と、この止水板上に積み重ね状態に配設された上側止水板とからなることを特徴とする請求項３又は請求項４に記載の建物内への浸水防止装置。
【請求項６】
下側止水板と上側止水板とにおける上端部と下端部とにそれぞれ最上段の足掛け用突条と最下段の足掛け用突条とを設けてあり、下側止水板の最上段の足掛け用突条上に上側止水板の最下段の足掛け用突条をこの下面に貼着している止水材を介して重ね合わせていることを特徴とする請求項５に記載の建物内への浸水防止装置。
【請求項７】
止水板の両側端部を両側止水材に押し付ける押圧部材は発泡ゴム材からなり、上記両側縦ガイド溝の溝壁面に、止水板の正面に上下方向に所定間隔毎に突設している足掛け用突条における少なくとも１条ないし２条の足掛け用突条に対向させて貼着されていて対向する足掛け用突条を押圧するように構成していることを特徴とする請求項３に記載の建物内への浸水防止装置。
【請求項８】
止水板における背面における両側縦ガイド溝内に挿嵌した両側端部を除いた部分に、上下方向に所定間隔毎に背面側足掛け用突条を突設していることを特徴とする請求項３に記載の建物内への浸水防止装置。
【発明の詳細な説明】
【技術分野】
【０００１】
本発明は、大雨や洪水等が発生した際に、建物の出入口に配設して道路側等から建物内に水が浸入するのを防止するための止水板とこの止水板を用いた建物内への浸水防止装置に関する。
【背景技術】
【０００２】
止水板を備えた建物内への浸水防止装置としては、例えば、特許文献１に記載されているように、地下鉄或いは家屋などの建物の出入口における両側壁面に立設された断面コ字状の縦ガイド溝を有する左右一対の支柱（方立て）と、これらの支柱の対向する上記縦ガイド溝に上方からその両側端部を嵌め込んで支柱間の通路を閉鎖する炭素繊維強化樹脂板からなる止水板と、上記支柱の縦ガイド溝における止水板の建物内側に向けた背面両側端部を受止する面に取付けられて止水板の両側端部を水密に受止するゴム製のパッキンと、止水板の正面両側端部とこの両側端部に対向する上記縦ガイド溝の面との間に設けられて止水板を上記パッキンに押し付ける楔部材と、止水板の下端面に取り付けらたパッキンとを備えてなる構造のものが知られている。
【０００３】
このように構成した浸水防止装置によれば、大雨や洪水等が発生した際に、止水板をパネル支柱の対向する縦ガイド溝内に上方から落とし込むことによって簡単且つ迅速に浸水防止装置を組み立てることができると共に、落とし込んだ際に、楔部材により止水板の背面両側部が縦ガイド溝に設けているパッキンに圧着させられると共に、止水板の下端面に取り付けているパッキンが床面に密着して水密性を保持し、建物内への浸水を確実に防止することができる。
【先行技術文献】
【特許文献】
【０００４】
【特許文献１】特開２０１６−１９１２３６号公報
【発明の概要】
【発明が解決しようとする課題】
【０００５】
しかしながら、建物の出入口における両側壁面に立設された左右一対の支柱間に止水板を設置して建物内への浸水を防止すると、この止水板によって建物の出入口が閉鎖された状態となるので、建物外から建物内に避難することができなくなるといった問題点が生じる。
【０００６】
なお、大雨や洪水等が発生した際に設置される上記止水板の高さは通常、１ｍ程度の高さであるので、この止水板を跨いで建物内に避難することができなくはないが、極めて危険である。
【０００７】
本発明はこのような問題点に鑑みてなされたもので、その目的とするところは、大雨や洪水等が発生した際に建物の出入口に止水板を配設して浸水の防止と共に出入口を閉鎖しても、止水板を簡単に乗り越えて建物内への避難を行うことができる止水板の構造と、この止水板を用いた建物内への浸水防止装置を提供するにある。
【課題を解決するための手段】
【０００８】
上記目的を達成するために、本発明の止水板は請求項１に記載したように、建物の出入口に設置するための止水板であって、建物外に向けている正面に上下方向に間隔を存して複数条の足掛け用突条を突設していることを特徴とする。
【０００９】
このように構成した止水板において、請求項２に係る発明は、上記足掛け用突条は、止水板の両側端間に亘って水平状に設けられていることを特徴とする。
【００１０】
請求項３に係る発明は上記止水板を用いた建物内への浸水防止装置であって、建物の出入口の両側壁面に互いに対向して設けられた両側縦ガイド溝と、建物外に向けている正面に上下方向に間隔を存して複数条の足掛け用突条を突設し、且つ、その両側端部を上記両側縦ガイド溝内に挿嵌されて建物の出入口を閉鎖する止水板と、上記両側縦ガイド溝と止水板の両側端部との隙間に設けられて止水板の両側端側から建物内に浸水するのを防止する両側止水材と、止水板の両側端部をこの両側止水材に押し付ける押圧部材と、止水板の下端面を上記出入口の床面に水密状態に密接させて床面上を通じて建物内に浸水するのを防止する下側止水材とを備えてなることを特徴とする。
【００１１】
このように構成した建物内への浸水防止装置において、請求項４に係る発明は、上記両側止水材と下側止水材とは一定厚みを有する発泡ゴム板からなり、両側止水材はそれぞれ両側縦ガイド溝における止水板の背面両側端部を受止する溝壁面に貼着されてあり、下側止水材は止水板の下端面に貼着されていることを特徴とする。
【００１２】
また、請求項５に係る発明は、両側縦ガイド溝間に配設される止水板は、両側縦ガイド溝の下部間に嵌め込まれた下側止水板と、この止水板上に積み重ね状態に配設された上側止水板とからなることを特徴とする。
【００１３】
この請求項５に記載の発明において、請求項６に係る発明は、下側止水板と上側止水板とにおける上端部と下端部とにそれぞれ最上段の足掛け用突条と最下段の足掛け用突条とを設けてあり、下側止水板の最上段の足掛け用突条上に上側止水板の最下段の足掛け用突条をこの下面に貼着している止水材を介して重ね合わせていることを特徴とする。
【００１４】
請求項７に係る発明は、上記止水板の両側端部を両側止水材に押し付ける押圧部材は発泡ゴム材からなり、上記両側縦ガイド溝の溝壁面に、止水板の正面に上下方向に間隔を存して突設している足掛け用突条における少なくとも１条ないし２条の足掛け用突条に対向させて貼着されていて対向する足掛け用突条を押圧するように構成していることを特徴とする。
【００１５】
請求項８に係る発明は、上記止水板における背面における両側縦ガイド溝内に挿嵌した両側端部を除いた部分に、上下方向に間隔を存して複数条の背面側足掛け用突条を突設していることを特徴とする。
【発明の効果】
【００１６】
請求項１に係る発明によれば、止水板の正面に上下方向に間隔を存して複数条の足掛け用突条を突設しているので、大雨や洪水等が発生して道路等に水が氾濫した際に、上記足掛け用突条をステップにして止水板を容易に乗り越えることができ、大雨等によって水が氾濫している道路側から建物内に安全に避難することができる。
【００１７】
請求項２に係る発明によれば、上記足掛け用突条は、止水板の両側端間に亘って水平状に設けられているので、道路側から建物内に避難する際に、この足掛け用突条上に足を安定的に掛けることができて素早く止水板を乗り越えることができる。また、止水板が水圧により建物側、即ち、下流側に向かって湾曲、変形するのをこの足掛け用突条によって確実に防止することができる。
【００１８】
また、請求項３に係る発明によれば、大雨や洪水等が発生して道路等に水が氾濫した際に、建物の出入口の両側壁面に設けている両側縦ガイド溝に上記止水板の両側端部を嵌め込むことによって、建物内に上記氾濫水が侵入するのを防止することができる浸水防止装置を簡単に組み立てることができると共に、押圧部材によって止水板の両側端部を両側縦ガイド溝内の止水材に強固に圧着させ、且つ、下側止水材によって止水板の下端面を出入口の床面に密着させた状態に保持することができて建物内への浸水を確実に防止することができ、また、止水板の正面に突設している足掛け用突条によって建物内への避難が容易に行える浸水防止装置を提供することがてきる。
【００１９】
請求項４に係る発明によれば、上記両側止水材と下側止水材とは一定厚みを有する発泡ゴム板からなり、両側止水材は上記両側縦ガイド溝における止水板の背面両側端部を受止する溝壁面に貼着されてあり、下側止水材は上記止水板の下端面に貼着されているので、止水板を両側縦ガイド溝に嵌め込んだ際に、止水板の両側端部の背面を上記縦ガイド溝の溝壁面に貼着している止水材に密接させて止水板の両側端部側からの建物内への浸水を確実に防止することができると共に、下側止水材を建物の出入口の床面に密着させて床面を通じて建物内に浸水するのを確実に防止することができる。
【００２０】
また、請求項５に係る発明によれば、止水板は上記両側縦ガイド溝の下部間に嵌め込まれた下側止水板と、この止水板上に積み重ね状態に配設された上側止水板とからなるので、止水板が上下に二分割されていて不使用時における保管や使用時における両側縦ガイド溝間に対する嵌め込み作業等が容易に行えると共に。所定高さの止水板を構成することができる。
【００２１】
さらに、請求項６に係る発明によれば、上記下側止水板と上側止水板とにおける上端部と下端部とにそれぞれ最上段の足掛け用突条と最下段の足掛け用突条とを設けてあり、下側止水板の最上段の足掛け用突条上に上側止水板の最下段の足掛け用突条をこの下面に貼着している止水材を介して重ね合わせているので、両側縦ガイド溝間において、下側止水板上に上側止水板を安定した積み重ね状態に配設することができる。
【００２２】
その上、上側止水板の下端面に貼着している止水材を下側止水板の上端面に密着させることができると共に下側止水圧の下端面に貼着している止水材を床面に密着させることができて上下止水板の接合部分や床面を通じて建物内に浸水するのを確実に防止することができる。
【００２３】
請求項７に係る発明によれば、上記止水板の両側端部を両側止水材に押し付ける押圧部材は発泡ゴム材からなり、上記両側縦ガイド溝の溝壁面に、止水板の正面に突設している足掛け用突条における少なくとも１条ないし２条の足掛け用突条に対向させて貼着されているので、止水板を両側縦ガイド溝間に取り付ける際に、上記両側縦ガイド溝に止水板の両側端部を上方から押し込むようにして挿入すると、足掛け用突条の両側端部が上記押圧部材を嵌め込み力によって弾性的に圧縮変形させながら進入し、嵌め込みが終了した際には足掛け用突条が対向する押圧部材にその先端部を没入させた状態となって押圧部材の弾性復元力により足掛け用突条を介して止水板の背面を上記両側縦ガイド溝の溝壁面に貼着している止水材に強く密接させることができ、建物内への浸水を確実に防止することができる。
【００２４】
請求項８に係る発明によれば、上記止水板における背面における両側縦ガイド溝内に挿嵌した両側端部を除いた部分に、上下方向に所定間隔毎に背面側足掛け用突条を突設しているので、大雨等によって水が氾濫している道路側から上記止水板の正面に突設している上記足掛け用突条をステップにして止水板を乗り越える際に、この止水板の背面に突設している上記背面側の足掛け用突条を降りる際のステップとして使用して建物内に安全に避難することができる。
【００２５】
また、上記止水板の正面と背面とに突設している足掛け用突条を使用して建物内から通路側へ容易に出ることもできる。なお、上記止水板の背面側の足掛け用突条は両側縦ガイド溝内に挿嵌した止水板の両側端部には設けられていないので、両側縦ガイド溝内に止水板の両側端部を上方から嵌め込む際に、何等の邪魔になることなく両側縦ガイド溝間に止水板を配設することがてきる。
【図面の簡単な説明】
【００２６】
【図１】建物の出入口に配設した浸水防止装置の簡略斜視図。
【図２】その要部の横断面図。
【図３】図２におけるＡ−Ａ線縦断側面図。
【図４】その止水板の中央部分における縦断側面図。
【図５】止水板の一部を省略した斜視図。
【図６】両側縦ガイド溝間に止水板を上方から嵌め込んでいる状態の簡略斜視図。
【図７】止水板の別な実施例を示す一部を省略した斜視図。
【図８】縦ガイド溝間に配設した状態における横断面図。
【図９】その止水板の中央部分における縦断側面図。
【発明を実施するための形態】
【００２７】
本発明の具体的な実施例を図面に基づいて説明すると、大雨や洪水等が発生した際に、氾濫した水が道路側から建物内に浸入するのを防止するための浸水防止装置は、図１〜図４に示すように、建物の出入口11の両側に設けられた一定高さを有する壁12、12に取り付けられている左右一対の支柱１、１（以下、両側支柱１、１とする）と、これらの両側支柱１、１に互いに対向して設けられている縦ガイド溝1a、1aにその両側端部を支柱１、１の上方から嵌め込んで建物の出入口11を閉鎖する一定厚みの止水板２と、上記支柱１、１の縦ガイド溝1a、1a内に設けられていて上記止水板２の両側端部を水密状態に密接させることにより、建物内に水が浸入するのを防止する両側止水材４、４と、上記止水板２の両側端部を上記両側止水材４、４に押し付ける押圧部材５と、止水板２の下端面を上記出入口11の床面に水密状態に密接させて床面上を通じて建物内に浸水するのを防止する下側止水材６とを備えている。
【００２８】
この浸水防止装置を設けている建物は、地下鉄のように出入口11の床面の両側端に一定厚みを有する一定高さの壁12、12が設けられている建物であり、この両側の壁12、12の両側側面に取り付けられている上記両側支柱１、１は、壁12の高さに等しい長さを有する横断面コ字状の溝型鋼からなり、この両側支柱１、１に設けている溝を縦ガイド溝1a、1aとしてこの縦ガイド溝1a、1aを互いに対向させ、両側支柱１、１を上記両側の壁12、12 の対向する壁面にそれぞれ立設状態にして固着している。
【００２９】
なお、両側の壁12、12に対するこれらの支柱１、１の取り付けは、支柱１、１をその縦ガイド溝1a、1aの開口端を壁12、12の壁面から互いに対向するように臨ませた状態にして且つ、その縦ガイド溝1a、1aの上端を壁12の上面から上方に向かって開口させた状態にして壁内に垂直状に埋設、固着することによって行っているが、壁12内に埋設することなく壁12の壁面に沿って立設して螺子等の適宜な固着具により壁面に固着しておいてもよい。    
【００３０】
上記止水板２は炭素繊維強化樹脂（ＣＦＲＰ）からなり、その横幅は上記支柱１、１の縦ガイド溝1a、1aにおける対向する垂直な溝底面1a1 、1a1 間の距離よりも短く、且つ、縦ガイド溝1a、1aの互いに対向する開口端間の距離よりも長い横長長方形状に形成されてあり、その両側端部を上記縦ガイド溝1a、1a内に上方から嵌め込み可能な寸法に形成されている。なお、この止水板２は上記炭素繊維強化樹脂（その他の剛性に優れた樹脂であってもよい）からなる半透明のパネルであって、建物内から道路側の浸水状況を認識できるように構成されている。
【００３１】
さらに、この止水板２の高さ（縦幅）は上記支柱１の長さ、即ち、この支柱１を取り付けている上記壁12の高さよりも短く、具体的には１ｍ程度の高さに形成されている。なお、止水板２は一枚物であってもよいが、この実施例においては、高さが５０ｃｍの止水板２、２を２枚、上下に積み重ね状態となるように上記両側の支柱１、１の対向する縦ガイド溝1a、1aに嵌め込んで上記所定高さ（１ｍの高さ）の止水板を形成するように構成している。
【００３２】
上記上下の止水板２、２には、これらの止水板２、２を上記両側支柱１、１の対向する縦ガイド溝1a、1a間に配設した際に建物外の通路側に向けられる正面に、上下方向に所定間隔毎に一定厚みと一定の突出幅（５ｃｍ位）を有する平面細幅長方形状の足掛け用突条３を突設している。この足掛け用突条３は、止水板２と同じく炭素繊維強化樹脂を主材として形成されているが、他の硬質合成樹脂によって形成して止水板２の正面に固着させておいてもよい。
【００３３】
また、これらの足掛け用突条３はそれぞれ止水板２、２の両側端間に亘って水平状に連続して設けられていて止水板２の補強リブとしての役目も兼用しているが、止水板２の両側端面間に亘って連続させることなく断続的に設けておいてもよい。なお、上下に隣接する足掛け用突条３、３間の間隔は、足先を挿入可能にしてこの足掛け用突条３をステップとして止水板２を乗り越えられる間隔を有している。
【００３４】
このように正面に足掛け用突条３を突設している止水板２の背面から足掛け用突条３の先端までの前後幅の寸法、即ち、足掛け用突条３を備えた止水板２全体の幅寸法は、上記支柱１の縦ガイド溝1aの前後方向に対向している溝側面、即ち、止水板２の背面に対向した溝側面1a2 と、足掛け用突条３の先端（突出端）に対向している溝側面1a3 との間の幅寸法よりも小さい寸法に形成されている。
【００３５】
また、止水板２の正面に突設している上記足掛け用突条３において、最上段の足掛け用突条３は止水板２の正面における上端部から前方に向かって水平状に突設してあり、最下段の足掛け用突条３は止水板２の正面における下端部から前方に向かって水平状に突設していると共に、最下段の足掛け用突条３の下面全面に一定厚みを有する発泡ゴム板からなる帯状の上記下側止水材６を貼着している。
【００３６】
なお、この下側止水材６は止水板２の下端面から下方にその厚みの一部分を突出させてあり、従って、上記両側支柱１、１の縦ガイド溝1a、1a間に上下止水板２、２を嵌め込んだ際に、下側止水板２の最上段の足掛け用突条３の上面に上側止水板２の最下段の足掛け用突条３の下面がこの下面に貼着している上記下側止水材６を弾性的に圧縮させながら重ね合わされると共に下側止水板２の最下段の足掛け用突条３の下面に貼着している下側止水材６が建物の上記出入口11の床面に弾性的に圧縮しながら密着して床面上を通じて建物内に浸水するのを防止するように構成している。
【００３７】
さらに、上記両側支柱１、１の縦ガイド溝1a、1a間に上下止水板２、２を嵌め込んだ際に止水板２、２の両側端側から建物内に浸水するのを防止する上記両側止水材４、４は、上記下側止水材６と同様に、一定厚みを有する帯状の発泡ゴム板からなり、上記両側支柱１、１の縦ガイド溝1a、1aにおける止水板２の背面に対向する溝側面1a2 に全長に亘って貼着されていて、止水板２の背面両側端部を全長に亘って密着させた状態で受止するように形成されている。
【００３８】
止水板２の背面両側端部を上記両側支柱１、１の縦ガイド溝1a、1aにおける溝側面1a2
、1a2 に押し付ける上記押圧部材５は、上記両側止水材４、４や下側止水材６と同じく、発泡ゴム材からなり、止水板２の正面（前面）に突設している上記足掛け用突条３の厚みよりも厚い突起形状に形成されていて、上記両側支柱１、１の縦ガイド溝1a、1aに上記上下止水板２、２の両側端部を嵌め込んだ際に、これらの上下止水板２の正面に突設している足掛け用突条３の先端部に対向するように、上記両側支柱１、１の縦ガイド溝1a、1aにおける止水板２の正面に対向する溝側面1a3 に貼着されている。
【００３９】
上記押圧部材５は、この実施例においては図３に示すように、上記上下止水板２の正面に突設している全ての足掛け用突条３に対向して縦ガイド溝1a、1aにおける止水板２の背面に対向する溝側面1a3 に上下に隣接する足掛け用突条3 と同一間隔毎に貼着されているが、少なくとも１条ないし２条の足掛け用突条３に対向させて上記溝側面1a3 に貼着しておいてもよく、要するに、この押圧部材５によって足掛け用突条３を介して止水板２の背面両側端部を上記両側支柱１、１の縦ガイド溝1a、1aにおける溝側面1a2 に貼着した両側止水材４、４に弾性的に圧着させるように構成しておけばよい。
【００４０】
これらの押圧部材５の突出長、即ち、縦ガイド溝1a、1aの溝側面1a3 から止水板２の正面に向かう高さは、縦ガイド溝1a、1aの上記溝側面1a3 と上記足掛け用突条３の先端間との隙間よりも大きい高さに形成されていて、両側止水板２の縦ガイド溝1a、1a間に止水板２を嵌め込んだ際に、足掛け用突条３の両側端部の先端部がそれぞれの対向する押圧部材５の先端部内に押圧部材５を弾性的に圧縮変形させながら没入するように構成されてあり、この時の押圧部材５の弾性復元力により、足掛け用突条３を介して止水板２の背面両側部を上記両側止水材４、４に圧着させると共に、止水板２の最下段の足掛け用突条３の下面に貼着している下側止水材６を床面等に押し付けた状態を保持するように構成している。
【００４１】
上記のように構成した建物内への浸水防止装置の使用態様を説明すると、大雨等によって建物内に水が浸入し始めた場合、或いは、浸水する虞れが生じた場合に、建物の出入口11における両側の壁12、12に対向して設けられている支柱１、１の縦ガイド溝1a、1a間に上下二枚の止水板２、２を順次嵌め込むことにより、建物内への水の浸入をこれらの止水板２、２によって防止する。
【００４２】
支柱１、１の縦ガイド溝1a、1a間に対する上記上下止水板２、２の配設作業は、まず、一枚の止水板２を上記出入口11の両側の壁12、12間上に持ち上げて、その正面に突設している足掛け用突条３を建物外の道路等に向けた状態にして両側端部を両側支柱１、１の縦ガイド溝1a、1aの上端開口部から縦ガイド溝1a、1a内に嵌め込む。
【００４３】
この際、足掛け用突条３の両側端部の先端部が縦ガイド溝1a、1aの溝側面1a3 に貼着している押圧部材５上に当接して抵抗を受けるが、その抵抗力に抗して止水板２を押し込んで足掛け用突条３の先端部により押圧部材５を弾性的に圧縮変形させながら、且つ、足掛け用突条３がこの押圧部材５を下方に向かって通過した際に、押圧部材５を元の形状に弾性復元させながら止水板２を嵌め込んで行く。
【００４４】
この止水板２の下端が出入口11における両側支柱１、１の縦ガイド溝1a、1aの下端間の床面上に当接、受止されると、止水板２の最下段の足掛け用突条３の下面に貼着している止水材６が床面に水密状態に圧着すると共に、各足掛け用突条３に対向して縦ガイド溝1a、1aの溝側面1a3 に貼着している上記押圧部材５に足掛け用突条３の先端部が没入した状態となり、押圧部材５の弾性復元力によって足掛け用突条３を介して止水板２の背面両側部が縦ガイド溝1a、1aにおける止水板２の背面に対向した溝側面1a2 に貼着している上記両側止水材４、４に圧着して止水板２の両側端部側から建物内に浸水するのを防止すると共に、止水板２の最下段の足掛け用突条３の下面に貼着している下側止水材６を床面に押し付けた状態に保持して床面側から建物内に浸水するのを防止した止水構造を構成する。    
【００４５】
さらに、この止水板２を下側止水板としてもう一枚の上記止水板２を上記同様に出入口11の両側の壁12、12間上に持ち上げて、その正面に突設している足掛け用突条３を建物外の道路等に向けた状態にして両側端部を両側支柱１、１の縦ガイド溝1a、1aの上端開口部から縦ガイド溝1a、1a内に嵌め込み、上記下側止水板２上に積み重ね状態に配設する。
【００４６】
そうすると、上側止水板２の最下段の足掛け用突条３がその下面に貼着している止水材６を弾性的に圧縮させながらこの止水材６を介して下側止水材２の最上段の足掛け用突条３の上面に水密状態に重ね合わされて上下止水板２、２の重ね合わせ面からの浸水を防止することができる。
【００４７】
さらに、この上側の止水板２に突設している各足掛け用突条３が上記下側止水板２と同様に、対向する押圧部材５にその先端部を没入させた状態に保持され、この押圧部材５の弾性復元力によって足掛け用突条３を介してこの止水板２の背面両側部が縦ガイド溝1a、1aにおける止水板２の背面に対向した溝側面1a2 に貼着している上記両側止水材４、４に圧着して止水板２の両側端部側から建物内に浸水するのを防止する。
【００４８】
また、水が氾濫している建物外の道路側から建物内に避難する際には、止水板２の正面に上下方向に所定間隔毎に突設している足掛け用突条３をステップとしてこの足掛け用突条３に足を掛けながら止水板２を跨ぐことにより容易に建物内の通路側に入ることができる。なお、上記止水板２、２は炭素繊維強化樹脂（ＣＦＲＰ）等からなる半透明のパネルであるから浸水状況を認識することができるといった利点を有する。
【００４９】
図７は上記止水板２の別な実施形態を示すもので、上記止水板２の背面にも上下方向に所定間隔毎に足掛け用突条3'を突設してなる構造を有する。その他の構成については上記止水板２と同じであるので、同一部分に同一符号を付して詳細な説明を省略する。
【００５０】
この止水板2'の背面に突設している足掛け用突条3'は、正面に突設している足掛け用突条３と同一断面形状に形成されているが、両側端間の長さは図８に示すように両側支柱１、１の対向する開口端間の道路幅よりも短い長さに形成されていて、二枚の止水板2'、2'を両側支柱１、１の縦ガイド溝1a、1a間に順次嵌め込む際に、嵌め込みの邪魔にならないように構成している。なお、背面に突設している足掛け用突条3'は必ずしも正面に突設している足掛け用突条３と同一間隔毎に設けることなく、同一高さ位置となるように設ける必要はない。
【００５１】
この止水板2'を二枚、上記実施例と同様に、両側支柱１、１の縦ガイド溝1a、1a間に嵌め込んで下側に配した止水板2'の最上段の足掛け用突条３に上側に配した止水板2'の最下段の足掛け用突条３の下面を止水板６を介して水密的に圧着させると共に下側止水板2'の最下段の足掛け用突条３の下面に貼着している止水材６を床面に水密状態に圧着させ、且つ、これらの上下止水板2'、2'の正面に突設している上記足掛け用突条３をこれらの足掛け用突条３に対向して上記縦ガイド溝1a、1aの溝側面1a3 に貼着している押圧部材５にその先端部を没入させた状態に係合させてなる建物内への浸水防止装置を構成する。
【００５２】
このように構成した建物内への浸水防止装置においては、上記止水板2'、2'の背面にも複数段の足掛け用突条3'を突設しているので、水が氾濫している建物外の道路側から建物内に避難する際には、まず、止水板2'の正面に上下方向に所定間隔毎に突設している足掛け用突条３をステップとしてこの足掛け用突条３に一方の足を掛けたのち、止水板２を跨いで他方の足をこの止水板2'の背面に突設している足掛け用突条3'に掛けることにより、容易且つ安全に建物内の通路側に入ることができる。
【００５３】
なお、以上の実施例においては、いずれも建物の出入口11の両側に設けられた一定高さを有する壁12、12に横断面コ字条の両側支柱１、１を固着してこれらの支柱１、１の対向する溝を止水板２、2'の両側端部の縦ガイド溝1a、1aとしているが、支柱１、１を設けることなく、上記建物の出入口11の両側壁12、12に止水板２の両側端部を受け入れる縦ガイド溝を設けておいてもよい。
【符号の説明】
【００５４】
１  支柱
1a  縦ガイド溝
２、2'  止水板
３、3'  足掛け用突条
４  両側止水材
５  押圧部材
６  下側止水材
11  出入口
12、12  両側壁
【図１】
2019039230.tif 000003
【図２】
2019039230.tif 000004
【図３】
2019039230.tif 000005
【図４】
2019039230.tif 000006
【図５】
2019039230.tif 000007
【図６】
2019039230.tif 000008
【図７】
2019039230.tif 000009
【図８】
2019039230.tif 000010
【図９】
2019039230.tif 000011